(57)【要約】      （修正有）【課題】帳票の文字認識結果における文字属性の修正処理を容易に行えるようにすることで、ユーザ側の負担を軽減させ帳票の処理効率を向上させる。【解決手段】帳票処理装置では、帳票から読み取られたイメージを認識して得た文字の属性と予め定義された正規のフィールドの属性との対応関係に、例えば矛盾が生じる認識結果５１などが得られてしまうような場合でも、フィールドの属性と文字の属性との対応関係の修正処理を行い、誤りが生じている認識結果を修正した推奨修正データ５２を、ディスプレイ９上に表示させることができる。【選択図】図７
2006172070.tif 000002
【特許請求の範囲】
【請求項１】
帳票上に設けられた文字記入枠によって複数に区画された領域に対し記録されるべき文字の属性情報を定義し、この属性情報を各領域毎に対応付けて記憶する属性情報記憶手段と、
帳票イメージを入力し、文字認識を行う文字認識手段と、
前記文字認識手段による認識結果として得られた少なくとも前記文字記入枠内の各領域の属性と文字の属性との対応関係の正否を、前記属性情報記憶手段の記憶内容に基づき判定する認識結果判定手段と、
前記認識結果判定手段による判定結果として前記領域の属性と文字の属性との対応関係に矛盾が生じた場合、当該対応関係を整合させることの可能な前記認識結果の修正内容を推定する修正内容推定手段と、
前記修正内容推定手段により推定された前記認識結果を修正した内容を、推奨修正データとして可視的に表示する表示手段と、
を具備することを特徴とする帳票処理装置。
【請求項２】
前記表示手段が、前記文字認識手段による認識結果を前記推奨修正データで更新することへの了承／拒否に対応した情報入力を促す選択情報を表示することを特徴とする請求項１記載の帳票処理装置。
【請求項３】
文字記入枠に文字が記録された帳票から読み取られたイメージを入力し、文字認識を行う文字認識ステップと、
前記文字認識ステップで認識結果として得られた少なくとも前記文字記入枠内の各領域の属性と文字の属性との対応関係の正否を、帳票上に予め記された文字記入枠によって複数に区画された領域に対し記入されるべき文字の属性情報を定義し且つ該属性情報を各領域毎に対応付けて記憶する記憶装置の記憶内容に基づいて、判定する認識結果判定ステップと、
前記認識結果判定ステップでの判定結果として前記領域の属性と文字の属性との対応関係に矛盾が生じた場合、当該対応関係を整合させることの可能な前記認識結果の修正内容を推定する修正内容推定ステップと、
前記修正内容推定ステップで推定された前記認識結果を修正した内容を、推奨修正データとして可視的に表示する表示ステップと、
を有することを特徴とする帳票処理方法。
【請求項４】
前記表示ステップでは、前記文字認識ステップで得られた認識結果を前記推奨修正データで更新することへの了承／拒否に対応した情報入力を促す選択情報を表示することを特徴とする請求項３記載の帳票処理方法。
【請求項５】
帳票の処理をコンピュータに実行させる帳票処理プログラムであって、
前記コンピュータを、
帳票上に設けられた文字記入枠によって複数に区画された領域に対し記録されるべき文字の属性情報を定義し、この属性情報を各領域毎に対応付けて記憶する属性情報記憶手段と、
帳票イメージを入力し、文字認識を行う文字認識手段と、
前記文字認識手段による認識結果として得られた少なくとも前記文字記入枠内の各領域の属性と文字の属性との対応関係の正否を、前記属性情報記憶手段の記憶内容に基づき判定する認識結果判定手段と、
前記認識結果判定手段による判定結果として前記領域の属性と文字の属性との対応関係に矛盾が生じた場合、当該対応関係を整合させることの可能な前記認識結果の修正内容を推定する修正内容推定手段と、
前記修正内容推定手段により推定された前記認識結果を修正した内容を、推奨修正データとして可視的に表示する表示手段、
として機能させることを特徴とする帳票処理プログラム。
【請求項６】
前記表示手段が、前記文字認識手段による認識結果を前記推奨修正データで更新することへの了承／拒否に対応した情報入力を促す選択情報を表示することを特徴とする請求項５記載の帳票処理プログラム。
【発明の詳細な説明】
【技術分野】
【０００１】
本発明は、帳票の処理を行う帳票処理装置、帳票処理方法、及び帳票処理プログラムに関する。
【背景技術】
【０００２】
従来、帳票上のイメージを読み取って文字認識処理を行う帳票処理装置では、帳票上の文字記入枠により複数の領域として区画された各フィールドに各々対応するように、各フィールドに記入されるべき文字の属性情報が予め定義されている。すなわち、フィールド毎に対応する文字の属性情報とは、例えば、氏名欄であるならば漢字、フリガナ欄であるならはカタカナ、番号欄であるならば数字といったものである。
【０００３】
帳票処理装置では、このような属性情報を利用して、氏名欄では漢字認識、フリガナ欄ではカタカナ認識、数字欄ならば数字認識を行って、その認識結果をディスプレイ上に出力し、例えば認識結果に誤りがある場合にはＧＵＩ（Graphical User Interface）などを通じてオペレータが修正処理を行うことが一般的である。
【０００４】
ここで、帳票に文字を印刷する際に、例えばプリンタへの帳票の位置決めにズレなどが生じた場合には、帳票上の所定のフィールドに実際に印字された文字の属性と、予めフィールドに定義された文字の属性とにズレが生じる場合がある。そこで、このような場合でも、正しい文字認識結果が得られるように、フィールドに定義された文字属性の設定変更や認識対象のフィールドサイズの設定変更を可能とした文字認識装置が提案されている（例えば、特許文献１参照）。
【特許文献１】特開平７−１６０８１１号公報
【発明の開示】
【発明が解決しようとする課題】
【０００５】
しかしながら、このような従来の装置では、例えば、文字の認識結果が正しくて得られたとしても、認識結果としてその文字が対応付けられたフィールドと、その文字が実際に対応付けられるべき正規のフィールドとの対応関係に誤りが生じているおそれがある。さらに、この従来の装置では、上述した文字属性の設定変更やフィールドサイズの設定変更を行うために、人為的な設定操作が必要となり、オペレータの作業を増加させる要因となっている。
【０００６】
そこで本発明は、上記課題を解決するためになされたもので、帳票の文字認識結果における文字属性の修正処理を迅速且つ容易に行えるようにすることで、ユーザ側の負担を軽減させ帳票の処理効率を向上させることができる帳票処理装置、帳票処理方法、及び帳票処理プログラムの提供を目的とする。
【課題を解決するための手段】
【０００７】
上記目的を達成するために、本発明に係る帳票処理装置は、帳票上に設けられた文字記入枠によって複数に区画された領域に対し記録されるべき文字の属性情報を定義し、この属性情報を各領域毎に対応付けて記憶する属性情報記憶手段と、帳票イメージを入力し、文字認識を行う文字認識手段と、前記文字認識手段による認識結果として得られた少なくとも前記文字記入枠内の各領域の属性と文字の属性との対応関係の正否を、前記属性情報記憶手段の記憶内容に基づき判定する認識結果判定手段と、前記認識結果判定手段による判定結果として前記領域の属性と文字の属性との対応関係に矛盾が生じた場合、当該対応関係を整合させることの可能な前記認識結果の修正内容を推定する修正内容推定手段と、前記修正内容推定手段により推定された前記認識結果を修正した内容を、推奨修正データとして可視的に表示する表示手段と、を具備することを特徴とする。
【０００８】
すなわち、本発明では、帳票のイメージが入力され、文字記入枠内の各領域毎の文字認識結果が得られると、この認識結果として得られた文字記入枠内の各領域の属性と文字の属性との対応関係の正否を、予め領域毎に定義された文字の属性情報に基づいて判定する。さらに、本発明では、認識された文字の属性と予め定義された正規の領域の属性との対応関係に例えば矛盾が生じる認識結果が得られてしまうような場合でも、領域の属性と文字の属性との対応関係の修正処理を行い、誤りが生じている認識結果を修正した推奨修正データを表示させることができる。したがって、本発明によれば、帳票の文字認識結果における文字属性の修正処理が迅速且つ容易に実現されるので、ユーザ側の負担が軽減され、帳票の処理の効率化を図ることができる。
【０００９】
また、本発明においては、前記表示手段が、前記文字認識手段による認識結果を前記推奨修正データで更新することへの了承／拒否に対応した情報入力を促す選択情報を表示するものであってもよい。この場合、ユーザにとって入力操作の容易な情報の選択操作のみで、正しく修正された文字認識結果を電子データとして記憶保持させることができる。
【００１０】
さらに、本発明の帳票処理方法は、文字記入枠に文字が記録された帳票から読み取られたイメージを入力し、文字認識を行う文字認識ステップと、前記文字認識ステップで認識結果として得られた少なくとも前記文字記入枠内の各領域の属性と文字の属性との対応関係の正否を、帳票上に予め記された文字記入枠によって複数に区画された領域に対し記入されるべき文字の属性情報を定義し且つ該属性情報を各領域毎に対応付けて記憶する記憶装置の記憶内容に基づいて、判定する認識結果判定ステップと、前記認識結果判定ステップでの判定結果として前記領域の属性と文字の属性との対応関係に矛盾が生じた場合、当該対応関係を整合させることの可能な前記認識結果の修正内容を推定する修正内容推定ステップと、前記修正内容推定ステップで推定された前記認識結果を修正した内容を、推奨修正データとして可視的に表示する表示ステップと、を有することを特徴とする。
【００１１】
また、本発明に係る帳票処理プログラムは、帳票の処理をコンピュータに実行させる帳票処理プログラムであって、前記コンピュータを、帳票上に設けられた文字記入枠によって複数に区画された領域に対し記録されるべき文字の属性情報を定義し、この属性情報を各領域毎に対応付けて記憶する属性情報記憶手段と、帳票イメージを入力し、文字認識を行う文字認識手段と、前記文字認識手段による認識結果として得られた少なくとも前記文字記入枠内の各領域の属性と文字の属性との対応関係の正否を、前記属性情報記憶手段の記憶内容に基づき判定する認識結果判定手段と、前記認識結果判定手段による判定結果として前記領域の属性と文字の属性との対応関係に矛盾が生じた場合、当該対応関係を整合させることの可能な前記認識結果の修正内容を推定する修正内容推定手段と、前記修正内容推定手段により推定された前記認識結果を修正した内容を、推奨修正データとして可視的に表示する表示手段、として機能させることを特徴とする。
【発明の効果】
【００１２】
このように、本発明によれば、帳票の文字認識結果における文字属性の修正処理を迅速且つ容易に行えるようにすることで、ユーザ側の負担を軽減させ帳票の処理効率を向上させることが可能な帳票処理装置、帳票処理方法、及び帳票処理プログラムを提供することができる。
【発明を実施するための最良の形態】
【００１３】
以下、本発明を実施するための最良の形態を図面に基づき説明する。
図１は、本発明の実施形態に係る帳票処理装置の構成を機能的に示すブロック図、図２は、この帳票処理装置上で実行される帳票処理プログラムにより実現される各種機能をその処理の流れとともに示す図である。
図１及び図２に示すように、本実施形態の帳票処理装置１は、ＣＰＵ２と、メインメモリ３と、記憶装置５と、ディスプレイ９と、キーボード１０と、ポインティングデバイス６と、スキャナ８とを主に備える。ここで、本実施形態の帳票処理装置１では、スキャナ８を除く各種ハードウェアは、例えばＰＣ（Personal Computer）などを含むコンピュータ装置によって実現されている。
【００１４】
ＣＰＵ２は、帳票処理装置全体の制御を司るもので、メインメモリ３上で実行される各種プログラムに従って、データの入出力制御、スキャナ８を通じて入力された帳票上のイメージからの文字認識処理及びその他の各種処理を行う。
【００１５】
メインメモリ３は、プログラムやデータなどが記憶される領域であって、各種プログラムに従って処理が実行される場合に、このプログラムの実行に伴って処理対象とするデータが一時的に記憶される。このメインメモリ３上では、帳票に記されたイメージの認識処理を行う帳票処理プログラム１２ａが実行される。また、帳票処理プログラム１２ａの実行に伴って記憶されるデータとしては、スキャナ８を通じて入力される帳票のイメージである原画像データ１４、原画像データ１４に対する文字認識処理によって得られる認識結果としての認識結果データ（文字コード）１５などが記憶される。
【００１６】
ディスプレイ９は、ＬＣＤ（Liquid Crystal Display）などにより構成され文字認識結果や装置の状態を示す情報を可視的（視覚的）に表示する。キーボード１０は、帳票処理装置本体に対して各種の指示を入力するために用いられる。ポインティングデバイス６は、マウスやタブレットなどにより構成され、帳票処理装置に対して各種の指示を入力するために用いられる。スキャナ８は、文字認識処理の対象とする帳票上の画像をイメージとして読み取り、原画像データ１４を出力する。
【００１７】
記憶装置５は、各種の記憶媒体に対してプログラムやデータなどの読み書きを実行する。記憶装置５は、記憶媒体として、ハードディスクなどの磁気ディスクや、光ディスク、半導体メモリなどを用いることができる。記憶媒体は、固定型、可搬型のいずれであってもよい。詳細には、記憶装置５には、メインメモリ３上で実行される帳票処理プログラム本体１２が記憶されている。さらに、記憶装置５には、帳票上に予め記された文字記入枠によって複数に区画された領域であるフィールドに対し、記入されるべき文字の属性データ７が定義され且つこの属性データ７が各フィールドに対応付けて記憶されている。ここで、帳票処理装置１は、プリンタを備えて構成されていてもよい。例えばこのプリンタは、帳票の読み取り画像から得られた文字認識結果を紙媒体に印刷することなどを可能とするものである。
【００１８】
次に、メインメモリ３上で実行される帳票処理プログラム１２ａにより実現可能な各種機能（処理）を図２に基づき説明する。また、ここでは、帳票処理プログラム１２ａにより実現される後述するフィールド認識処理２２の基本的な処理内容について説明を行う。
同図２に示すように、帳票処理プログラム１２ａは、スキャナ８によって帳票上からイメージとして読み取られた原画像２１（原画像データ１４）に対して処理を行うフィールド認識処理２２と、フィールド属性情報検査処理２３と、フィールド属性情報修正処理２４と、推奨修正データ５２をディスプレイ９に表示出力させる推奨修正データ表示出力処理２５とを主に実現する。
【００１９】
上記フィールド認識処理２２は、さらに詳細には、ノイズ除去、二値化、フォームやプレプリント文字の除去、認識対象のフィールドの切り出しなどを行う前処理と、前処理結果により得られた画像から文字群を抽出する文字抽出処理と、抽出された文字群中の文字を認職し文字コードに変換する文字認識処理とを含む。
さらに、上記した文字抽出処理では、処理対象とする画像に対して横方向への射影を計算し、その値と最大値の比が予め定めた閾値以下になる場所を行の区切りとする。そして、区切られた行内で縦方向への射影を求め、その値と最大値の比が予め定めた閾値以下になる場所を文字の区切りとし、こうして求めた文字矩形の内部の画像を１文字分の文字画像とする。また、文字抽出処理は、ラベリングによる連結領域抽出として行うこともでき、ここで挙げた方法に限らず、文字の画像と位置が取得できる方法ならどのような方法を用いてもよい。
【００２０】
また、文字認識処理は、文字抽出処理によって抽出された文字画像を複合類似度法や部分空間怯などの手法により、予め緩められたクラスの何れかに分類し、そのクラスに対応する文字コードを出力することにより文字認識を行う。文字認識処理では、基本的には入力された文字画像に対応する文字コードを出力するが、文字画像からでは判別が困難な文字についてはリジェクトコードを出力することもできる。また、複合類似度法や、部分空間法などの方法では、分類尺度となる類似度値をクラスの分類に用いているが、この類似度値を併せて出力してもよい。
【００２１】
次に、本実施形態の帳票処理装置１が行う帳票の文字認識結果における文字属性の修正処理を実現するための構成を上記図１、図２に加え、図３ないし図５に基づき詳述する。ここで、図３は、帳票処理装置１の記憶装置５に格納された上記属性データ７の内容を示す図、図４は、帳票処理装置１により処理される、文字記入枠３４がプレ印刷された帳票３０を示す図、図５は、帳票上のプレ印刷された文字記入枠３４内に文字が印刷された状態を例示する図である。
【００２２】
属性データ７は、図３ないし図５に示すように、帳票３０上に予め記された文字記入枠３４によって複数に区画された領域であるフィールド３１、３２、３３に対し、記入されるべき文字の属性を定義し且つこの属性を各フィールド３１、３２、３３に対応付けられた情報である。つまり、属性データ７は、図３に示すように、フィールドＮｏと、フィールドＮｏに各々関連付けられて記憶された座標位置、フィールド属性、関係などから主に構成される。座標位置には、帳票３０上の例えば所定の基準位置からの座標位置情報が記憶されている。フィールド属性には、例えば、記号、英字、数字、カタカナ、漢字、ひらがな、色などを示す文字の属性情報が記憶されている。関係には、例えば、帳票３０上に予め記された文字記入枠３４によって複数に区画された各フィールドの位置関係（他のフィールドとの相対的な位置関係）などが例えばカラム情報などとして記憶されている。
【００２３】
ここで、本実施形態で適用されている帳票３０のフォーマットを図４及び図５に基づき概略的に説明する。
図４に示すように、文字記入枠３４は、帳票３０上に予めプレ印刷されている。この文字記入枠３４によってそれぞれ区画されたフィールド３１、３２、３３が予め定められた属性の文字を記入するための領域としてそれぞれ確保されている。ここで、図３にも示したように、フィールド３１には数字属性、フィールド３２にはカタカナ属性、フィールド３３には漢字属性が予め与えられている（定義されている）。また、フィールド３１には、プレ印字文字（番号）３５が、フィールド３２にはプレ印字文字（フリガナ）３６が、フィールド３３にはプレ印字文字（氏名）３７が存在することも上記した属性データ７中に含まれている。
【００２４】
さらに、上記したフィールド認識処理２２、フィールド属性情報検査処理２３、フィールド属性情報修正処理２４、及び推奨修正データ表示出力処理２５による一連の処理で実現される文字属性の修正に主に関連する処理内容を、図４、図５及び上記図２を参照しつつ説明を行う。
これらの図に示すように、フィールド認識処理２２では、文字記入枠３４に文字を記入した帳票３０からスキャナ８を通じて読み取られたイメージを入力し、文字記入枠３４内の各フィールド３１、３２、３３毎に文字認識処理を行う。フィールド属性情報検査処理２３では、フィールド認識処理２２による認識結果として得られた文字記入枠３４内の各領域と文字の属性との対応関係の正否を、記憶装置５内に記憶された属性データ７に基づき判定する。すなわち、フィールド属性情報検査処理２３では、予めフィールド３１、３２、３３毎に定義された文字の属性情報（例えば、漢字、カタカナ、英数字など）と、フィールド認識処理２２で認識された結果とを比較照合（マッチング）することで、認識対象の文字が正しいフィールドに存在するか否かを判定する。
【００２５】
フィールド属性情報修正処理２４では、フィールド属性情報検査処理２３による判定結果としてフィールドと文字の属性との対応関係に矛盾が生じた場合、当該対応関係を整合させることの可能な認識結果の修正内容を推定する。つまり、フィールド属性情報修正処理２４では、フィールド属性情報検査処理２３による処理結果として、認識対象の文字が正しいフィールドに存在しないことが判明した場合、文字の属性情報が適合する正しいフィールドを検索し、検索したそのフィールドとフィールド認識処理２２の認識結果を関連付ける。
【００２６】
推奨修正データ表示出力処理２５は、フィールド属性情報修正処理２４により推定された認識結果を修正した内容を、推奨修正データ（後述する図７参照）として可視的に表示する処理である。すなわち、推奨修正データ表示出力処理２５は、フィールド属性情報修正処理２４により正しいフィールドに関連付けされた結果を、ディスプレイ９に表示させるための制御信号を出力する処理である。
【００２７】
次に、帳票処理装置１上で実行される帳票処理プログラム１２ａによる具体的な処理を上記図３及び図５に加え、図６及び図７に基づいて説明する。ここで、図６は、帳票処理プログラム１２ａが行う処理を示すフローチャート、図７は、帳票処理装置１のディスプレイ９上に表示された推奨修正データ５２を示す図である。
【００２８】
まず、フィールド認識処理２２の結果のうち、本処理を行っていないフィールド認識結果が存在するか否かが調査される（Ｓ［ステップ］１）。未処理のフィールド認識結果が存在しない場合（Ｓ１のＮｏ）、本処理は終了する。未処理のフィールド認識結果が存在する場合（Ｓ１のＹｅｓ）、そのフィールド認識結果の読み込みを行う（Ｓ２）。ここで、本実施形態では、カタカナ３９が、本来記載されるべきカタカナ属性を持ったフィールド３２ではなく、漢字属性を持ったフィールド３３に記載されている。また、フィールド認識処理２２では、帳票３０の文字記入枠３４を認識することで、各フィールド３１、３２、３３に記載されている文字が認識される。この場合、フィールド３１には、プレ印字文字（番号）３５が、フィールド３２にはプレ印字文字（フリガナ）３６が、フィールド３３にはプレ印字文字（氏名）３７が、それぞれ存在することを示す情報が属性データ７中に含まれているため、認識対象の文字とプレ印刷されたこれらの文字とは差別化される。
【００２９】
次いで、読み込まれたフィールドの認識結果と、予め属性データ７で定義されたフィールドの文字の属性情報との比較照合が行われる（Ｓ３）。詳細には、図５に示すように、フィールド３１に記入されている数字３８「１２３４５６７８９」を例にとって説明すると、フィールド３１に該当する属性情報が数字属性であるため、フィールド認識結果が正しく「１２３４５６７８９」という数字による文字列が得られたとするならば、どちらも数字属性となり、フィールドの認識結果が正しいと判定される（Ｓ３のＹｅｓ）。
【００３０】
さらに、フィールド３３に記載されているカタカナ３９である「トウシバ  タロウ」と漢字４０である「東芝  太郎」とを処理する場合、まず、それぞれが個別に処理される。カタカナ３９の認識結果が「トウシバ  タロウ」として得られていたとする。ここで、フィールド３３に該当する属性情報が漢字属性であるため、カタカナ３９と矛盾したフィールド属性となり、正しくないと判定される（Ｓ３のＮｏ）。次に、予め属性データ７で定義されたカタカナ属性を持ったフィールドが存在するか否かが検索される（Ｓ４）。図５及び図３に示すように、フィールド３２のフィールドの属性情報がカタカナ属性として定義されているため（Ｓ４のＹｅｓ）、カタカナ３９は、フィールド３３ではなく、フィールド３２に属する文字であると判断される。この場合、カタカナ３９とカタカナ属性で定義された正しいフィールド３２との関連付けが行われ、図７に示すように、フィールド認識処理２２で得られた認識結果５１と、推奨修正データ表示出力処理２５で得られた推奨修正データ（カタカナ３９の認識位置をフィールド３３からフィールド３２移動させた修正内容）５２と、推奨修正データ５２の了承／拒否を選択入力可能な選択情報５３とが、それぞれディスプレイ９上に可視的に表示される（Ｓ５）。
【００３１】
ここで、選択情報５３は、フィールド認識処理２２による認識結果５１を推奨修正データ５２で更新することへの了承／拒否に対応した情報入力をオペレータ（ユーザ）に促す入力ボタンである。ここで、選択情報５３は、了承（ＯＫ）ボタン５４及び拒否（Ｃａｎｃｅｌ）ボタン５５をＧＵＩで表示し、オペレータがマウスなどのポインティングデバイス６でいずれかのボタンをクリックすることで、推奨修正データ５２での更新／非更新を選択することが可能となる。さらに、了承ボタン５４の押下に連動して、更新を了承した推奨修正データ５２が、記憶装置５などが備える例えば磁気ディスク媒体などに記憶保持される。
【００３２】
また、例えば、表示された推奨修正データ５２においても、文字とフィールドとの属性の対応関係に依然として誤りがある場合において、例えば、誤りのある文字列を正しいフィールド位置にポインティングデバイス６などを通じて移動させ手動での修正を行えるように帳票処理プログラム１２ａを構成してもよい。なお、認識結果とフィールドの属性情報とが整合する場合や（Ｓ３のＹｅｓ）、周囲のフィールドに同じ属性情報を持つフィールドが存在しない場合には（Ｓ４のＮｏ）、さらにＳ１において、認識処理を行っていない未処理のフィールドが存在しなくなるまで処理が継続される。
【００３３】
既述したように、本実施形態に係る帳票処理装置１では、帳票３０から読み取られたイメージを認識して得た文字の属性と予め定義された正規のフィールドの属性との対応関係に例えば矛盾が生じる認識結果５１などが得られてしまうような場合（例えばフィールドの属性にマッチングしていない属性の文字が当該フィールドに記入されている場合）でも、フィールドの属性と文字の属性との対応関係の修正処理を行い、誤りが生じている認識結果を修正した推奨修正データ５２を、ディスプレイ９上に表示させることができる。したがって、帳票処理装置１によれば、帳票の文字認識結果における文字属性の修正処理が迅速且つ容易に実現されるので、オペレータ側の負担が軽減され、帳票の処理の効率化を図ることができる。
【００３４】
以上、本発明を実施の形態により具体的に説明したが、本発明は前記実施形態にのみ限定されるものではなく、その要旨を逸脱しない範囲で種々変更可能である。例えば、上述した実施形態では、推奨修正データ５２が、一種類だけ表示されるものであったが、これに代えて、互いに異なる推奨修正データを複数表示させ、その中からユーザに所望の候補を選択させるようにしてもよい。また、文字記入枠がプレ印刷された帳票以外の定型の紙葉類の処理装置を本発明として適用することなども可能である。
【図面の簡単な説明】
【００３５】
【図１】本発明の実施形態に係る帳票処理装置の構成を機能的に示すブロック図。
【図２】図１の帳票処理装置上で実行される帳票処理プログラムにより実現される各種機能をその処理の流れとともに示す図。
【図３】図１の帳票処理装置の記憶装置に格納された属性データの内容を示す図。
【図４】図１の帳票処理装置により処理される、文字記入枠がプレ印刷された帳票を示す図。
【図５】図４の帳票上のプレ印刷された文字記入枠内に文字が印刷された状態を例示する図。
【図６】図１の帳票処理装置上で実行される帳票処理プログラムによる処理を具体的に示すフローチャート。
【図７】図１の帳票処理装置のディスプレイに表示された推奨修正データを示す図。
【符号の説明】
【００３６】
１…帳票処理装置、２…ＣＰＵ、３…メインメモリ、５…記憶装置、８…スキャナ、９…ディスプレイ、７…属性データ、１２…帳票処理プログラム本体、１２ａ…帳票処理プログラム、２２…フィールド認識処理、２３…フィールド属性情報検査処理、２４…フィールド属性情報修正処理、２５…推奨修正データ表示出力処理、３０…帳票、３１，３２，３３…フィールド、３４…文字記入枠、５１…認識結果、５２…推奨修正データ、５３…選択情報、５４…了承ボタン、５５…拒否ボタン。
【図１】
2006172070.tif 000003
【図２】
2006172070.tif 000004
【図３】
2006172070.tif 000005
【図４】
2006172070.tif 000006
【図５】
2006172070.tif 000007
【図６】
2006172070.tif 000008
【図７】
2006172070.tif 000009